(57)【特許請求の範囲】
【請求項１】
携帯電話機本体と、この電話機本体内に配置された通話用音声信号の無線送受信部と、パソコン通信を行なう為のパソコン通信制御回路と、パソコン通信のやりとりを自動的に実行する為の実行プログラムと、その実行プログラム及び表示データを格納する為の記憶部と、パソコン通信信号を変復調させ前記送受信部との間を出力または入力する為の変復調部と、パソコン通信により送受信された情報を表示する表示装置と、一連の操作を行なう操作ボタンと、パソコン通信実行ボタンと、ロムパック着脱機構を有するパソコン通信機能付き携帯電話機において、
任意に作成されたパソコン通信実行手順プログラムが入力されたロムパック本体を、前記ロムパック着脱機構にセットした場合、前記パソコン通信実行ボタンを押すと、前記パソコン通信制御回路によりロムパックに格納された実行プログラムが前記電話機本体内の記憶部に格納された実行プログラムより優先的に実行され、前記ロムパックがセットされていない時に、前記パソコン通信実行ボタンを押すと、前記電話機本体の実行プログラムが実行される機能を有することを特徴とする。
【請求項２】
携帯電話機本体と、この電話機本体内に配置された通話用音声信号の無線送受信部と、パソコン通信を行なう為のパソコン通信制御回路と、パソコン通信のやりとりを自動的に実行する為の実行プログラムと、その実行プログラム及び表示データを格納する為の記憶部と、パソコン通信信号を変復調させ前記送受信部との間を出力または入力する為の変復調部と、パソコン通信により送受信された情報を表示する表示装置と、一連の操作を行なう操作ボタンと、パソコン通信実行ボタンと、ロムパック着脱機構を有するパソコン通信機能付き携帯電話機において、
任意に作成されたパソコン通信実行手順プログラムが入力されたロムパック本体を、前記ロムパック着脱機構にセットした場合、前記パソコン通信実行ボタンを押すと、前記パソコン通信制御回路によりロムパックに格納された実行プログラムが前記電話機本体内の記憶部に格納された実行プログラムより優先的に実行され、前記ロムパックがセットされていない時に、前記パソコン通信実行ボタンを押すと、前記電話機本体の実行プログラムが実行される機能を有する
事と、前記パソコン通信の、前記実行プログラムによる通信処理終了後、前記記憶部に格納された送受信データを、前記表示制御ボタンを使用しスクロールさせる事により、前記表示部に表示させる事を特徴とする。
【発明の詳細な説明】
【０００１】
【発明の属する利用分野】
この発明は携帯電話において、あらかじめパソコン通信の実行手順を記述した実行プログラムを動作させる事により自動的にパソコン通信を行い、その結果収集されたデータを表示装置に表示するパソコン通信機能付き携帯電話に関するものである。
【０００２】
【従来の技術】
従来のパソコン通信機能を持つ携帯電話において、パソコン通信を行う場合はまずパソコン通信を呼び出した後、電話機のボタンにより通信手順にそったデータ入力を行い必要な情報の送信および受信を行っている。
【０００３】
【発明が解決しようとする課題】
これは次の様な欠点があった。
パソコン通信を行うためには、通常英数字の入力が必要となるが携帯電話のボタンでは、数と大きさに制約があるため使い勝手が悪く実用的ではない。
本考案は、この欠点を除くためになされたものである。
【０００４】
（１）
【課題を解決するための手段】
請求項１に係るパソコン通信機能付き携帯電話は、携帯電話機本体と、この電話機本体内に配置された通話用音声信号の無線送受信部と、パソコン通信を行なう為のパソコン通信制御回路と、パソコン通信のやりとりを自動的に実行する為の実行プログラムと、その実行プログラム及び表示データを格納する為の記憶部と、パソコン通信信号を変復調させ前記送受信部との間を出力または入力する為の変復調部と、パソコン通信により送受信された情報を表示する表示装置と、一連の操作を行なう操作ボタンと、パソコン通信実行ボタンと、ロムパック着脱機構を有するパソコン通信機能付き携帯電話機において、
任意に作成されたパソコン通信実行手順プログラムが入力されたロムパック本体を、前記ロムパック着脱機構にセットした場合、前記パソコン通信実行ボタンを押すと、前記パソコン通信制御回路によりロムパックに格納された実行プログラムが前記電話機本体内の記憶部に格納された実行プログラムより優先的に実行され、前記ロムパックがセットされていない時に、前記パソコン通信実行ボタンを押すと、前記電話機本体の実行プログラムが実行される機能を有することを特徴とする。
（２）
請求項２に係るパソコン通信機能付き携帯電話は携帯電話機本体と、この電話機本体内に配置された通話用音声信号の無線送受信部と、パソコン通信を行なう為のパソコン通信制御回路と、パソコン通信のやりとりを自動的に実行する為の実行プログラムと、その実行プログラム及び表示データを格納する為の記憶部と、パソコン通信信号を変復調させ前記送受信部との間を出力または入力する為の変復調部と、パソコン通信により送受信された情報を表示する表示装置と、一連の操作を行なう操作ボタンと、パソコン通信実行ボタンと、ロムパック着脱機構を有するパソコン通信機能付き携帯電話機において、
任意に作成されたパソコン通信実行手順プログラムが入力されたロムパック本体を、前記ロムパック着脱機構にセットした場合、前記パソコン通信実行ボタンを押すと、前記パソコン通信制御回路によりロムパックに格納された実行プログラムが前記電話機本体内の記憶部に格納された実行プログラムより優先的に実行され、前記ロムパックがセットされていない時に、前記パソコン通信実行ボタンを押すと、前記電話機本体の実行プログラムが実行される機能を有する
事と、前記パソコン通信の、前記実行プログラムによる通信処理終了後、前記記憶部に格納された送受信データを、前記表示制御ボタンを使用しスクロールさせる事により、前記表示部に表示させる事を特徴とする。
【０００５】
【発明の実施の形態】
以下本発明の実施例を図面を参照して説明する。図１および図２は本発明に係るパソコン通信機能付き携帯電話機の一実施例を示すブロック図および外観斜視図である。便宜上図２から説明する。
図２において携帯用無線電話機本体（１）は上側よりスピーカ（６）、表示装置（１０）、および表示制御ボタン（８）と入力ボタン（９）およびロムパック着脱機構（１３）とマイク（７）がありまた上端面からアンテナ（２）が突出している。なお電話機本体（１）の外観形状は、ロムパック着脱機構（１３）を除いて公知の携帯電話機と同様である。次に各構成をさらに詳細に示しながら本発明を説明する。図１において、無線電話機本体内部には、受信部（３）、送信部（４）、変調復調部（５）、パソコン通信制御回路（１１）、記憶部（１２）が形成されており表示装置（１０）、スピーカ（６）、マイク（７）、入力ボタン（９）および表示制御ボタン（８）、ロムパック着脱機構（１３）が無線電話機本体から外部に向けて配置されているのは上述した通りである。
ロムパック本体（１４）はパソコン通信を行なう時の手順を実行する実行プログラムが格納されているものであり電話機本体のロムパック着脱機構部（１３）にセットする事により動作可能となる。ここで使用する実行プログラムとはたとえばパソコン通信のオートパイロット運転に用いられるスクリプト言語もしくは同等の機能を有しかつ携帯電話機専用に改良された言語となり、ユーザーがあらかじめパーソナルコンピュータにより作成しロムパックに焼き込んだものとする。また電話機本体の記憶部にも同様の実行プログラムがあらかじめ入力されている。これはロムパックがセットされていない時に使用される実行プログラムである。ロムパックとしてはフラッシュメモリー、またはＥＰＲＯＭ等の不揮発性メモリーを使用し一例としてカードに埋め込んだＩＣカード状のものが考えられる。パソコン通信制御回路（１１）はＣＰＵやこのＣＰＵの基本的な動作プログラムを格納したＲＯＭ等を有して形成された制御回路であり、ボタンを押した時に各ボタンに設定された機能を実行する事とＲＯＭパックまたは記憶部内の実行プログラムを読み込み動作させる為の回路である。表示装置（１０）はパソコン通信実行中に送受信データをモニターするものであり、また送受信データは記憶部に格納されるので送受信終了後においても表示制御ボタン（８）を使用しスクロールさせる事により任意のデータを確認する事ができる。
次に上述した本発明の携帯電話機の使用方法と動作を簡単に説明する。まずロムパックを装着した後電源をオンにして通話可能状態とする。ここでパソコン通信実行ボタンを押すとパソコン通信制御回路によりロムパック内の実行プログラムが動作し自動的にパソコン通信が開始される。もしロムパックが装着されていない場合は記憶部内の実行プログラムが動作する。パソコン通信の一連の処理が終了し回線が切れた後実行プログラムが終了する。通信中の送受信データは表示装置にモニターされるのと同時に記憶部に格納されるので通信終了後も表示制御ボタンを使用し任意の送受信データを表示させる事が出来る。この様に本発明の携帯電話機では一度ボタンを押す事により自動的にパソコン通信が実行されるので、たとえば自分あての電子メールを時間と場所の制約をうけずに読む事が可能となる。
【０００６】
【発明の効果】
以上説明したように本発明は携帯電話機本体内に配置したパソコン通信制御回路と、自動送受信を行なう実行プログラムが入力された記憶部と、送受信信号と音声信号を変換する変調復調部と表示装置により、自動的にパソコン通信を行い、時と場所を選ばずに容易に情報が入手可能となる。そして、上構成に加えてロムパック着脱機構を有する構成では各ユーザが任意に作成した実行プログラムをロムパックに格納して使用する事により、使用者固有の情報伝達が可能となる。
【図面の簡単な説明】
【図１】本発明の一実施例を示すブロック図である。
【図２】図１の外観を示す斜視図である。
【符号の説明】
１  電話機本体
２  アンテナ
３  受信部
４  送信部
５  変調復調部
６  スピーカー
７  マイク
８  表示制御ボタン
９  入力ボタン
１０  表示装置
１１  パソコン通信制御回路
１２  記憶部
１３  ロムパック着脱機構
１４  ロムパック本体
【図１】
0003809689.tif 000002
【図２】
0003809689.tif 000003